(57)【要約】  【課題】  雷から航空障害灯を保護する航空障害灯保護網を提供することを目的とする。  【解決手段】  アルミプレート１００１上に、正方形の各頂点に位置するように、正方形の１辺の長さより長い４本のアルミ棒１００２を溶接し、４本のアルミ棒１００２の各頂端部に係合するようにアルミ棒１００３を直角に折り曲げて、アルミ棒１００２との接点を溶接することで、直方体のアルミ枠を形成する。そして、直方体の４側面のうちの３側面に対しては、側面を２等分する位置に補強用のアルミ棒１００３を１本ずつ溶接し、４側面のうちの１側面に対しては、航空障害灯の光源を覆う蓋体の開閉の妨げにならない位置に補強用のアルミ棒１００５を１本溶接して、航空障害灯保護網を構成する。さらに、アルミプレート１００１上には雷電流を流す導線１００７と航空障害灯保護網とを電気的に接続する接続端子１００８を取り付ける台座１００６を設ける。【選択図】  図１
2005117874.tif 000002
【特許請求の範囲】
【請求項１】
航空障害灯を雷から保護するための航空障害灯保護網であって、
アルミプレートを底面とし、そのアルミプレート上に、正方形の各頂点に位置するように、前記正方形の１辺の長さより長い４本の第１のアルミ棒を溶接し、前記４本の第１のアルミ棒の各頂端部に係合するように第２のアルミ棒を直角に折り曲げて、前記第１のアルミ棒との接点を溶接することで、直方体のアルミ枠を形成し、
前記直方体の４側面のうちの３側面に対しては、側面を２等分する位置に補強用のアルミ棒を１本ずつ溶接し、４側面のうちの１側面に対しては、前記航空障害灯の光源を覆う蓋体の開閉の妨げにならない位置に補強用のアルミ棒を１本溶接し、
前記アルミプレート上には雷電流を流す導線と前記航空障害灯保護網とを電気的に接続する接続端子を取り付ける台座を設けた、
ことを特徴とする航空障害灯保護網。
【請求項２】
航空障害灯を雷から保護するための航空障害灯保護網であって、
アルミプレートを底面とし、そのアルミプレート上に、正方形の各頂点に位置するように、前記正方形の１辺の長さより長い４本の第１のアルミ棒を溶接し、前記４本の第１のアルミ棒の各頂端部に係合するように第２のアルミ棒を直角に折り曲げて、前記第１のアルミ棒との接点を溶接することで、直方体のアルミ枠を形成し、
前記直方体の４側面のうちの３側面に対しては、側面をほぼ３等分する位置に補強用のアルミ棒を２本ずつ溶接し、４側面のうちの１側面に対しては、前記航空障害灯の光源を覆う蓋体の開閉の妨げにならない位置に補強用のアルミ棒を１本溶接し、
前記アルミプレート上には雷電流を流す導線と前記航空障害灯保護網とを電気的に接続する接続端子を取り付ける台座を設けた、
ことを特徴とする航空障害灯保護網。
【発明の詳細な説明】
【技術分野】
【０００１】
本発明は、航空障害灯を雷から保護する網に関するものである。
【背景技術】
【０００２】
従来、航空法では、航行の障害となる建造物の存在を航空機に明示するために、地表または水面から６０ｍ以上の高さの建造物には、航空障害灯を設置することが義務付けられている。例えば、６０ｍ以上９０ｍ未満の高さのビルの場合には低光度用の航空障害灯を設置して連続点灯させ、９０ｍ以上の高さのビルの場合には中光度用の航空障害灯を設置して明滅点灯させ、ビルを除く１５０ｍ以上の高さの建造物の場合には高光度用の航空障害灯を設置して閃光発光させている。
【特許文献１】特開２００１−１４０３３６（Ｐ２００１−１４０３３６Ａ）
【特許文献２】特開２００２−２９８６０５（Ｐ２００２−２９８６０５Ａ）
【発明の開示】
【発明が解決しようとする課題】
【０００３】
しかしながら、従来の航空障害灯の設置方法では、航空障害灯を雷から保護する対策が何らとられていないため、雷により航空障害灯が破損するという問題があった。
よって、本発明では、雷から航空障害灯を保護する網を提供することを目的とする。
【課題を解決するための手段】
【０００４】
上記課題を解決するために、本発明（請求項１）に係る航空障害灯保護網は、航空障害灯を雷から保護するための航空障害灯保護網であって、アルミプレートを底面とし、そのアルミプレート上に、正方形の各頂点に位置するように、前記正方形の１辺の長さより長い４本の第１のアルミ棒を溶接し、前記４本の第１のアルミ棒の各頂端部に係合するように第２のアルミ棒を直角に折り曲げて、前記第１のアルミ棒との接点を溶接することで、直方体のアルミ枠を形成し、前記直方体の４側面のうちの３側面に対しては、側面を２等分する位置に補強用のアルミ棒を１本ずつ溶接し、４側面のうちの１側面に対しては、前記航空障害灯の光源を覆う蓋体の開閉の妨げにならない位置に補強用のアルミ棒を１本溶接し、前記アルミプレート上には雷電流を流す導線と前記航空障害灯保護網とを電気的に接続する接続端子を取り付ける台座を設けることを特徴とする。
【０００５】
本発明（請求項２）に係る航空障害灯保護網は、航空障害灯を雷から保護するための航空障害灯保護網であって、アルミプレートを底面とし、そのアルミプレート上に、正方形の各頂点に位置するように、前記正方形の１辺の長さより長い４本の第１のアルミ棒を溶接し、前記４本の第１のアルミ棒の各頂端部に係合するように第２のアルミ棒を直角に折り曲げて、前記第１のアルミ棒との接点を溶接することで、直方体のアルミ枠を形成し、前記直方体の４側面のうちの３側面に対しては、側面をほぼ３等分する位置に補強用のアルミ棒を２本ずつ溶接し、４側面のうちの１側面に対しては、前記航空障害灯の光源を覆う蓋体の開閉の妨げにならない位置に補強用のアルミ棒を１本溶接し、前記アルミプレート上には雷電流を流す導線と前記航空障害灯保護網とを電気的に接続する接続端子を取り付ける台座を設けることを特徴とする。
【発明の効果】
【０００６】
本発明の航空障害灯保護網は、航空障害灯を雷から保護することのできる避雷設備を得ることができる。
【発明を実施するための最良の形態】
【０００７】
以下、本発明の実施の形態について、図面を参照しながら説明する。
（実施の形態１）
本実施の形態１に係る航空障害灯保護網は、航空障害灯を雷から保護するための航空障害灯保護網であり、ＯＭ−３Ａ型の低光度航空障害灯を保護するためのものである。
【０００８】
以下、実施の形態１に係る航空障害灯保護網の詳細な構成について図１〜６を用いて説明する。図１は実施の形態１に係る航空障害灯保護網の平面図で、図２は実施の形態１に係る航空障害灯保護網の側面図で、図３は実施の形態１に係る航空障害灯保護網の正面図である。図４は雷電流を流すアルミ受雷導線と航空障害灯保護網とを電気的に接続する接続端子を取り付けるための台座の詳細図である。図５は実施の形態１に係る航空障害灯保護網に航空障害灯を設置したときの側面図で、図６は実施の形態１に係る航空障害灯保護網に航空障害灯を設置したときの正面図である。
【０００９】
まず、１辺Ｅが２７０ｍｍ、厚さ４ｍｍの正方形のアルミプレート１００１上に、１辺Ｅの長さより長い、直径１２ｍｍの４本のアルミ棒１００２を垂直に溶接する。なお、この４本のアルミ棒１００２は、それぞれが１辺２５０ｍｍの正方形の各頂点に位置するように溶接する。図１に示すように、この４本のアルミ棒１００２の頂端部に係合するように直径１２ｍｍのアルミ棒１００３を直角に折り曲げて、各接点を溶接する。以上のようにして、アルミプレート１００１上に縦長の直方体の枠を形成する。直方体の４側面のうちの３側面（Ｂ，Ｃ，D面）に対しては、図２に示すように、それぞれ側面を２等分する位置に補強用のアルミ棒１００４を１本ずつ溶接する。具体的には、長辺方向の１辺Ｆが４００ｍｍで、短辺方向の１辺Ｇが２５０ｍｍの側面を２等分する位置（Ｈ，Ｉ＝２００ｍｍ）に、アルミ棒１００４をアルミ棒１００２に対して直角に溶接する。一方、４側面のうちのＡ面に対しては、図３に示すように、航空障害灯の光源を覆う蓋体の開閉の妨げにならない位置に補強用のアルミ棒１００５を１本溶接する。具体的には、アルミプレートの接地面から側面の長辺方向に対して１３０ｍｍ離れた位置（Ｊ＝１３０ｍｍ）にアルミ棒１００５をアルミ棒１００２に対して直角に溶接する。なお、上述のアルミ棒１００２〜１００５は、腐食を防止するために樹脂加工が施されている。
【００１０】
また、アルミプレート１００１上には、雷電流を流すアルミ受雷導線１００８と航空障害灯保護網とを電気的に接続する接続端子１００７を取り付けるための台座１００６を溶接する。台座１００６はアルミ製でアルマイト加工が施されている。台座１００６は、図４に示すように、幅Ｋ＝３０ｍｍ、高さＭ＝４０ｍｍ、厚さＮ＝５ｍｍで、接続端子を嵌め込む直径Ｏ＝２１．８３ｍｍの空洞を設けている。
【００１１】
以上のようにして構成する航空障害灯保護網に、図５，６に示すように、航空障害灯１００９を設置する。そして、雷電流を流すアルミ受雷導線１００８と航空障害灯保護網とを電気的に接続するアルミ製の接続端子１００７を台座１００６に取り付ける。これにより、航空障害灯保護網を通じて、雷電流をアルミ受雷導線に放電することができ、航空障害灯を雷から保護することができる。
【００１２】
なお、本実施の形態１で示したアルミプレート１００１の１辺の長さ、アルミ棒１００２〜１００５の長さ、アルミ棒１００４、１００５の溶接位置は、航空障害灯ＯＭ−３Ａに合わせて設計したものであり、本発明はこれに限るものではなく、航空障害灯の種類または設置場所に合わせて変更しても良い。
【００１３】
（実施の形態２）
本実施の形態２に係る航空障害灯保護網は、航空障害灯を雷から保護する航空障害灯保護網であり、ＯＭ−６型の中光度航空障害灯を保護するためのものである。
【００１４】
以下、航空障害灯保護網の構成について詳細に図７〜１１を用いて説明する。図７は実施の形態２に係る航空障害灯保護網の平面図で、図８は実施の形態２に係る航空障害灯保護網の側面図で、図９は実施の形態２に係る航空障害灯保護網の正面図である。図１０は実施の形態２に係る航空障害灯保護網に航空障害灯を設置したときの側面図で、図１１は実施の形態２に係る航空障害灯保護網に航空障害灯を設置したときの正面図である。
【００１５】
以下、本実施の形態２に係る航空障害灯保護網の構成について詳細に図７〜１１を用いて説明する。１辺Ｐが５３０ｍｍ、厚さ６ｍｍの正方形のアルミプレート２００１上に、１辺Ｐの長さより長い、直径１６ｍｍの４本のアルミ棒２００２を垂直に溶接する。なお、この４本のアルミ棒２００２は、それぞれが１辺５１０ｍｍの正方形の各頂点に位置するように溶接する。図７に示すように、この４本のアルミ棒２００２の頂端部に係合するように直径１６ｍｍのアルミ棒２００３を直角に折り曲げて、各接点を溶接する。これにより、アルミプレート２００１上に縦長の直方体の枠が形成される。直方体の４側面のうちの３側面（Ｂ，Ｃ，Ｄ面）に対しては、図８に示すように、それぞれ側面をほぼ３等分する位置に補強用のアルミ棒２００４を２本ずつ溶接する。具体的には、長辺方向の１辺Ｑが９４０ｍｍで、短辺方向の１辺Ｒが５１０ｍｍの側面をほぼ３等分する位置（Ｓ，Ｕ＝３１０ｍｍ，Ｔ＝３２０ｍｍ）にアルミ棒２００４をアルミ棒２００２に対して直角に２本溶接する。一方、４側面のうちのＡ面に対しては、図９に示すように、航空障害灯の光源を覆う蓋体の開閉の妨げにならない位置に補強用のアルミ棒２００５を１本溶接する。具体的には、アルミプレートの接地面から側面の長辺方向に対して３７０ｍｍ離れた位置（Ｖ＝３７０ｍｍ）にアルミ棒２００５をアルミ棒２００２に対して直角に溶接する。
【００１６】
また、アルミプレート２００１上には、実施の形態１に係る航空障害灯保護網と同様に、雷電流を流すアルミ受雷導線１００８と航空障害灯保護網とを電気的に接続する接続端子１００７を取り付けるための台座１００６を溶接する。
【００１７】
以上のようにして構成する航空障害灯保護網に、図１０，１１に示すように、航空障害灯２００９を設置する。そして、雷電流を流すアルミ受雷導線１００８と航空障害灯保護網とを電気的に接続する接続端子１００７を台座１００６に取り付ける。これにより、航空障害灯保護網を通じて、雷電流をアルミ受雷導線に放電することができ、航空障害灯を雷から保護することができる。
【００１８】
なお、本実施の形態２で示したアルミプレート２００１の1辺の長さ、アルミ棒２００２〜２００５の長さ、補強用アルミ棒２００５の溶接位置は、航空障害灯ＯＭ−６に合わせて設計したものであり、本発明はこれに限るものではなく、航空障害灯の種類に合わせて変更しても良い。
【００１９】
また、上記実施の形態では、ＯＭ−３Ａ型及びＯＭ−６型の航空障害灯を保護する実施例について説明したが、本発明はこれに限るものではなく、他の航空障害灯を保護することでも良い。他の航空障害灯としては、例えば、ＯＭ−７型の航空障害灯がある。
【００２０】
また、接続端子の種類は、図５，６，１０，１１に示したものでなくとも良く、アルミ受雷導線と航空障害灯保護網とを電気的に接続するものであれば良い。台座も接続端子の形状に合うものであれば良い。
【産業上の利用可能性】
【００２１】
本発明の航空障害灯保護網は、航空障害灯を雷から保護するのに有用である。
【図面の簡単な説明】
【００２２】
【図１】本実施の形態１に係る航空障害灯保護網の平面図である。
【図２】本実施の形態１に係る航空障害灯保護網の側面図である。
【図３】本実施の形態１に係る航空障害灯保護網の正面図である。
【図４】雷電流を流すアルミ受雷導線と航空障害灯保護網とを電気的に接続する接続端子を取り付ける台座の詳細図である。
【図５】本実施の形態１に係る航空障害灯保護網に航空障害灯を設置したときの側面図である。
【図６】本実施の形態１に係る航空障害灯保護網に航空障害灯を設置したときの正面図である。
【図７】本実施の形態２に係る航空障害灯保護網の平面図である。
【図８】本実施の形態２に係る航空障害灯保護網の側面図である。
【図９】本実施の形態２に係る航空障害灯保護網の正面図である。
【図１０】本実施の形態２に係る航空障害灯保護網に航空障害灯を設置したときの側面図である。
【図１１】本実施の形態２に係る航空障害灯保護網に航空障害灯を設置したときの正面図である。
【符号の説明】
【００２３】
１００１，２００１  アルミプレート
１００２，１００３，１００４，１００５，２００２，２００３，２００４，２００５  アルミ棒
１００６  台座
１００７  接続端子
１００８  アルミ受雷導線
１００９，２００９  航空障害灯
【図１】
2005117874.tif 000003
【図２】
2005117874.tif 000004
【図３】
2005117874.tif 000005
【図４】
2005117874.tif 000006
【図５】
2005117874.tif 000007
【図６】
2005117874.tif 000008
【図７】
2005117874.tif 000009
【図８】
2005117874.tif 000010
【図９】
2005117874.tif 000011
【図１０】
2005117874.tif 000012
【図１１】
2005117874.tif 000013